(57)【要約】【課題】眼鏡において、その重量の殆どが鼻当て部分に掛かる為、長時間の眼鏡の使用に際し、使用中の疲労感を初め、使用後（眼鏡を取り外した後）には、その鼻当ての接触した部分に圧迫痕が観られ、特に女性は化粧が剥がれる為、着脱の度に化粧をし直さなければならない等の問題がある。本発明は、上述のような実状に着目してなされたもので、その目的とするところは、問題の根本原因である、鼻当てを除去した眼鏡を提供することにある。【解決手段】眼鏡全体の重心を後方へ移動させるようにテンプルを加工することで、眼鏡をかける際、鼻当てが不要なことを特徴とした、眼鏡のほとんどの重量に対する支持方法、並びに、それを用いたテンプル及び眼鏡。【選択図】    図１
2004354491.tif 000002
【特許請求の範囲】
【請求項１】
眼鏡全体の重心を後方へ移動させるようにテンプルを加工することで、眼鏡をかける際、鼻当てが不要なことを特徴とした、眼鏡のほとんどの重量に対する支持方法。
【請求項２】
着用者の肌表層部曲面に接するように、かつ、眼鏡全体におけるほとんどの重量に対する支持構造を有するようにテンプルそのものを成形したことによる、鼻当てを必要としないことを特徴とするテンプル。
【請求項３】
請求項２記載のテンプルにおいて、成形された曲面で皮膚との接触する部分に、皮膚との摩擦係数が大きく、滑りにくい軟質材を成形接着したことを特徴とするテンプル。
【請求項４】
側頭部、特に頬骨付近の肌表層部曲面の平均的な近似的データを基に予め成形されたテンプルへ、皮膚との摩擦係数が大きく、滑りにくい軟質素材を薄いシート状に成形接着することにより、鼻当てを必要としないことを特徴としたテンプル。
【請求項５】
着用者の目尻よりやや後方から頬骨上部へ沿うように、かつ、眼鏡全体におけるほとんどの重量に対する支持構造を有するように、成形された軟質材の両端を、テンプルの芯材へ固定することにより、鼻当てを必要としないことを特徴としたテンプル。
【請求項６】
眼鏡全体におけるほとんどの重量に対する支持構造を有するように滑りにくい軟質素材で成形されたパッドに一体化した固定部分とテンプルの芯材にアームの両端を、それぞれの部分にネジ止め、ロウ付け又は接着のいずれかの手段で固定したことにより、鼻当て必要としないことを特徴とするテンプル。
【請求項７】
眼鏡全体におけるほとんどの重量に対する支持構造を有するように滑りにくい軟質素材で成形されたパッドに一体化した固定部分を、部分的に強化されたテンプルの芯材へネジで固定したことによる、鼻当てを必要としないことを特徴とするテンプル。
【請求項８】
軟質材が取り替え可能なことを特徴とする請求項３〜７のいずれか１項に記載のテンプル。
【請求項９】
肌へ接触する部分において、格子状又はメッシュ状に溝を設けたことを特徴とする請求項２〜８のいずれか１項に記載のテンプル。
【請求項１０】
先セル部分の一部又は全部がテンプル構成素材よりも比重の大きい物質で構成されることを特徴とする請求項２〜９のいずれか１項に記載のテンプル。
【請求項１１】
着用者自身で調節可能なことを特徴とする請求項２〜１０のいずれか１項に記載のテンプル。
【請求項１２】
請求項２〜１１のいずれか１項に記載のテンプルを採用することにより、鼻当てが不要になったことを特徴とする眼鏡。
【発明の詳細な説明】
【０００１】
【発明の属する技術分野】
本発明は、日常生活で使用される視力矯正用眼鏡やサングラス及び偏光レンズを有した眼鏡として使用可能な、又は併用可能な、通常の二眼式レンズ（左右分離型レンズ）や一眼式レンズ（左右一体型レンズ）を備えた眼鏡に関するものである。
【０００２】
【従来の技術】
従来から、鼻当てに関する問題において、何らかの方法で対処しようとした例は数多くある。その１例として、鼻当てのずり落ちを防ぐことを目的としている、両側頭部の挟持装置がある（特許文献１）。
【０００３】
また、鼻当ての除去を目的とした例が主に２つあり、これらは、本発明と目的を等しくするものの、後述する通り、解決手段が大きく異なっており、さらに種々の問題点を抱えている。まず１つ目の例はは、テンプルにネジ用の穴を空け、パッドを固定するという構造である（特許文献２）。次の例は、テンプルに支持棒を取り付けて、外耳のみで眼鏡全体を支える構造である（特許文献３）。
【０００４】
【特許文献１】特公平０７−０５６５３６号公報
【特許文献２】特開平１１−３２６８４２号公報
【特許文献３】特開２００２−１５６６０９号公報（３頁、図２）
【０００５】
【発明が解決しようとする課題】
従来から眼鏡には鼻当てが当然の如くあり、その鼻当て部分には眼鏡の総重量のほとんどがかかることで不必要な圧迫が発生し、長時間に渡る眼鏡の使用の際、使用中の疲労感を初め、使用後つまり眼鏡を取り外した後の疲労感も当然のものと思われ、また、その鼻当ての接触面に圧迫痕が残り、肌が正常な状態に回復するまで時間を要した。特に女性に関しては、ファンデーション（基礎化粧品）が剥がれる等、着脱の度に化粧をし直さなければならないか、若しくは、外出の際には、眼鏡を一度かけると外せない等の問題があった。
【０００６】
さらには、鼻当ての存在の有無に係わらず、両サイドのテンプルからの側頭部へ横からの圧迫による支持方法を採用している眼鏡においては、方法が故に不必要な圧迫感が当然のものとされ、また使用後に圧迫痕が残るという問題点があった。さらに、部分的に材質を強化せずに、テンプルにネジ用の穴を空け、パッドを固定する手段では、そのネジ穴の上下部分において、テンプルの材質が金属ならば、日々における使用の金属疲労の蓄積に対し、テンプルにおける他の部分よりも非常に脆く、第二に、非金属ならば、テンプルが金属の場合と同様に経年変化を起こし、他のテンプル部分よりも割れ易くなる、という問題点があった。また、テンプルに支持棒を取り付けて、外耳のみで眼鏡全体を支える手段では、力学的観点から、支持棒にかなりの無理な力が掛かることで、使用後の圧迫痕が残るという問題点があった。
【０００７】
本発明は、上述のような実情または手段に則した問題点に着目してなされたもので、その目的とするところは、問題の根本原因である、鼻当てを除去し、眼鏡のテンプル部分に外見上不自然ではない支持構造を設けることにより、鼻当て部分を取り去った眼鏡、及び、前記眼鏡に採用され、圧迫感を極力小さくするテンプルを提供することにある。
【０００８】
【課題を解決するための手段】
本発明の眼鏡及び前記眼鏡の一部分を構成するテンプルにおいて、眼鏡のテンプル部分を、支持構造を有するように加工するか、或いは、眼鏡のテンプル部分に支持構造を有する部品を取り付け加工することで、前述に挙げた問題点は解決される。ここにおける支持構造は、後述で明らかにする。
【０００９】
上記テンプル部分において、支持構造を有する位置は、眼鏡を横から観た際に、眼鏡全体の重心の位置と重なる位置になければならず、かつ、その位置は、眼鏡の着用者に無理のない最適な位置でなければならない。この２つの条件を同時に満たす位置を、本発明における問題の解決方法に従って以下に示す。
【００１０】
最初に、本発明の基礎とも言える重心の移動について、図２に沿って解説する。まず、図２（ｉ）は、鼻当てが存在する従来の眼鏡の概略図であり、重心の位置は、Ｇ０である。次に、図２（ｉｉ）のようにテンプル部分に、眼鏡全体のほとんどの重量を支持する構造を有するサイド・パッドを設けるか、或いは、着用者の側頭部に接するように成形され、かつ、それ自体で眼鏡全体のほとんどの重量を支持する構造を有するテンプルを採用すると、本発明により増加した部分Ｔにより、重心の位置は、支持する部分とほぼ重なる部分Ｇ２に移動する。重心の位置を、さらに後方のＧ３に移動させる為には、先セル部分９９に錘（おもり）９０を取り付けることで可能となり、着用時のさらなる安定感が得られる。
【００１１】
次に、眼鏡の使用中の圧迫感を無くし、さらに使用後の圧迫痕を無くす為には、効果的に荷重分散を行う必要があり、その為には、着用者の側頭部、特に頬骨付近の肌表層部曲面データが必要になる。そこで、前記データの測定方法として、非接触型測定法と接触型測定法が考えられる。非接触型測定法には、光切断法が代表として挙げられる。前記測定方法が、肌表面の変形という影響を全く及ぼさないことから、非接触型が望ましいことが判る。前記測定方法による３次元データ測定装置は、現在では既に開発され、実用段階にあるので、それを利用することで、非接触型による測定方法は解決する。
【００１２】
しかしながら、測定する部分の一部に毛髪が含まれる場合は、非接触型では必ずしも正確なデータを得られないことが判る。そこで、なるべく肌表層部曲面に影響を及ぼさない程度の簡易的な接触型測定法について考え、それに基づく接触型による概略的な測定装置を考案し、その装置により、肌表層部曲面の近似的データを得ることにした。まず、健康な肌であれば、弾力性に富み、物を押し返す力、すなわち、ある一定の圧力を保っていることに着目し、単位面積当たりの肌が押し返す力、すなわち、肌におけるある一定の圧力よりも、やや小さい圧力に反応する圧力感知式測定装置を作成することで、簡単に肌表層部曲面の近似的データを得ることが可能となる。
【００１３】
上記行程の原理を示した概略図が、図３及び図４である。まず、固定部分７９を有した筒状絶縁体７０の中に、密度が一様かつ抵抗値がその長さに比例する抵抗棒７２を入れ、前記抵抗棒７２において、肌へ触れる一端に薄い円形絶縁体７１を接着させ、前記抵抗棒７２のもう一端は、圧力感知式抵抗棒移動装置７７内に内蔵させる。そして、前記抵抗棒７２が筒状絶縁体７０から出ている部分、前記抵抗棒７２との肌表層部分側の接触部７３と、前記抵抗棒７２との筒状絶縁体７０側の接触部７４に接点を持ち、一定電圧Ｖを有する起電力７５と電流計７６を含む回路を作り、これを圧力感知式測定装置の最小構成単位Ｍとし、これを表した概略図が図３（ｉｉｉ）である。
【００１４】
前記最小構成単位Ｍを一定の間隔で格子状に、合計｛（ｍ＋１）（ｎ＋１）｝個だけ配置された概略図が図３（ｉｖ）である。その中の前記最小構成単位Ｍｘｙについて、測定時の変化を考察した概略図が図４（ｖｉ）と図４（ｖｉｉ）であり、図４（ｖｉ）は測定前の抵抗棒７２の状態を、図４（ｖｉｉ）は測定後の抵抗棒７２の状態を、それぞれ示している。図４（ｖｉ）において、ｓは、測定前の抵抗棒７２が、筒状絶縁体７０から肌側へと出ている部分の長さを示しており、前記抵抗部分の抵抗値をＲとする。次に、測定時の概略図を示したのが図４（ｖｉｉ）であり、その測定時において、圧力感知式抵抗棒移動装置７７により、抵抗棒７２がゆっくりと押し出され、肌の圧力よりもやや小さい圧力を感知した瞬間に抵抗棒７２の移動を停止される。その瞬間に抵抗棒７２と回路との２つの接点７３ａと７４ａを流れる電流値Ｊを測定することで、抵抗値がその長さに比例する抵抗棒７２を採用していることから、オームの法則を適用すると必然的に図４（ｖｉｉｉ）に示された式により、測定時に押し出された抵抗棒７２の長さｚが求められる。
【００１５】
圧力感知測定装置の各最小構成単位において、全て測定を終えると、最終的に押し出された抵抗棒の長さの各値から、３次元の座標が決定し、各点において隣り合った点同士を線で結ぶと、相対的な位置関係が明らかになり、肌表層部曲面の近似的データが得られる。また、精度を上げる為には、圧力感知測定装置の最小構成単位を、出来る限り最小化し、構成する格子状に配置する前記最小構成単位の数を増やすと良い。
【００１６】
上記の過程で、測定している概略図が、図４（ｖ）であり、両側面部を同時に測定できるように、圧力感知測定装置８１を固定枠に、２つ搭載し、また、頭部は個人差がある為、測定時に側頭部固定枠８０が調節出来るように、被測定者用幅調整装置８４を設けた。
【００１７】
さらに測定精度を上げる為には、上記接触型測定法と非接触型測定法を併用すると良い。または、根本から見直して、非接触型測定法を多重で使用する方法が考えられる。
【００１８】
上記のいずれかの手段によって得られた、着用者の頬骨付近の肌表層部曲面の近似的データに従って、眼鏡のテンプル芯材部分を、着用者の目尻よりやや後方から頬骨上部に沿うように成形するか、若しくは、テンプル芯材にネジ止め、ロウ付け又は接着のいずれかの手段で固定した、皮膚との接触部分を含む軟質材と、それを固定する固定部分から構成されるサイド・パッド部分を、着用者の目尻よりやや後方から頬骨上部に沿うように成形することで、着用者に最適なテンプルが得られる。
【００１９】
上記テンプル部分の成形を行う過程において、成形後のテンプルの本体が、目尻に懸かる場合は、その部分の強度を上げた上で細くするか、或いは、強度を上げた上で、くり抜くことにより、視野を狭くするという問題は解決される。
【００２０】
また、側頭部、特に頬骨付近の肌表層部曲面の平均的な近似的データを基に予め何種類かに分類して成形されたテンプルを製造し、その中で着用者の肌表層部曲面へ一番近いものを選択し、その選択されたテンプルへ、皮膚との摩擦係数が大きく、滑りにくい軟質素材を薄いシート状に成形接着することにより、鼻当てを必要としないことを特徴としたテンプルが得られる。
【００２１】
また、眼鏡全体におけるほとんどの重量に対する支持構造を有するように滑りにくい軟質素材で成形されたパッドに一体化した固定部分とテンプルの芯材に、金属製又は非金属製アームの両端を、それぞれの部分にネジ止め、ロウ付け又は接着のいずれかの手段で固定したことにより、鼻当てを必要としないことを特徴とするテンプルが得られる。
【００２２】
また、眼鏡全体におけるほとんどの重量に対する支持構造を有するように滑りにくい軟質素材で成形されたパッドに一体化した固定部分を、部分的に強化されたテンプルの芯材へネジで固定したことにより、鼻当てを必要としないことを特徴とするテンプルが得られる。
【００２３】
また、測定データを元に成形された、テンプル部分、若しくはテンプルに設けられたサイド・パッド部分において、肌と接する部分に軟質材により成形されたソフト・パッドを設けることで、さらに荷重分散される。
【００２４】
また、着用者の目尻よりやや後方から頬骨上部へ沿うように、かつ、眼鏡全体におけるほとんどの重量に対する支持構造を有するように、成形された軟質材の両端を、テンプルの芯材へ固定することにより、鼻当てを不要にする手段もある。
【００２５】
また、眼鏡の使用後、化粧が剥がれる問題については、効果的に荷重分散させることにより皮膚との接触部分における圧力を小さくしたことで剥がれ難くなる。しかし、それでもなお、剥がれることに対して気になる場合は上記に示した肌と接するテンプル部分又は前記サイド・パッド部分に化粧用のパフを薄く、また裏面は剥がした跡が残らない粘着性のシール状に加工したもの貼り付けて、着用者がしている化粧の最上層部のものを、前記パフに極少量染み込ませることで解決する。化粧をしていない時に、本発明の眼鏡を着用する場合は、前記シールを剥がせば良い。
【００２６】
また、先セル部分の先端付近に錘（おもり）を埋め込み、前にずれることを防ぐストッパーを耳と接触する部分の前方に設け、さらに、荷重分散させる為の軟質材より成形されるソフト・パッドを設けることで、耳の付け根が痛みの心配は無くなり、眼鏡を掛けた場合の安定感が一層増し、効果的である。
【００２７】
上述のテンプルの肌に接触する部分において、滑り止め目的の溝を肌に痕が残らない程度に設ける。この際、滑り止め目的の溝が構成する曲線上の点と眼鏡全体の重心を通る線が、その曲線における法線により近い程、滑り止めとしては効果的である。或いは、発汗するような条件下での使用において、肌との接触面に格子状又はメッシュ状に溝を確保することで汗によるずり落ちを防ぐことが可能となり、また通常の使用においては、テンプル及び軟質材へ皮膚との接触部分に通気孔を設けることで、蒸れによるずり落ちを防ぐことが可能となる。
【００２８】
また、直接、皮膚に接触する軟質材やそれを含む前記サイド・パッド固定部分の一部又は全部は、機能の持続性を考慮すると、取り替え可能にする方が望ましい。上記のことを考慮した上で、前記サイド・パッド固定部分の一部は、ネジ止め、ロウ付け又は接着のいずれかの手段で固定した部分と独立でなければならない。皮膚との接触部分の衛生面での問題は、その部分に抗菌コートを施せば解決する。
【００２９】
また、着用者に常に最適な状態で使用可能なように、肌表層部曲面に近く成形されたテンプル、前記サイド・パッド、及び両端をテンプル芯材へ固定した軟質材は、着用者が自ら調節可能にすることが望ましい。その為には、接触部分が変形可能な素材によって、成形される必要がある。しかし、むやみに着用者が変形してしまわないように、ある程度の強度を持った素材で成形され、かつ、軟質材へ剛体である固定枠を設け、その枠は変形不可能とし、その他の部分は変形可能とすれば良い。
【００３０】
上記のように構成された眼鏡には、鼻当ては存在せず、側頭部を挟み込むことで支持することはない為、使用後の圧迫痕はほとんど残らない。
【００３１】
【発明の実施の形態】
発明の実施の形態を実施例に基づき図面を参照しながら説明する。また、図１、図５、図６及び図７に示される実施例を実施例１とし、図８、図９、図１０及び図１１に示される実施例を実施例２とし、図１４、図１５、図１７及び図１８に示される実施例を実施例３とする。
【００３２】
図５に示される実施例１では、上述した圧力感知測定装置による測定方法によって得られた、着用者の肌表層部曲面の近似的データを基に、エポキシ樹脂等の合成樹脂素材で成形された曲面であるテンプル凸面部６ａを有するテンプル６を成形している。図５の各図で示されるようにテンプル凸面部６ａの裏側に相当するテンプル凹面部６ｂは、着用者の肌表層部曲面に依存することなく自由な形に成形してよい。図５（ａ）は前記テンプル６の斜視による立体図を、図５（ｂ）は前記テンプル６の側面図を、図５（ｃ）は前記テンプル６の上面図を示しており、また、図５（ｄ）は、図５（ｂ）の切断線Ａ−Ａによる横方向断面図を、図５（ｅ）は、図５（ｂ）の切断線Ｂ−Ｂによる縦方向断面図を、図５（ｆ）は、図５（ｃ）の切断線Ｃ−Ｃによる横方向断面図を、それぞれ示している。図５（ｅ）に示される断面図のように、前記テンプル６の厚さは必要な強度を保つ最小限に抑えてある。
【００３３】
図１は図５で示された実施例１によるテンプル６を、蝶番５を介して眼鏡のフロント部分、すなわち、レンズ２を固定するリム３、またこれを固定するブリッジ１、及びリム３とテンプル６の中間に位置する智（ち）４が含まれる部分と接続する。この実施例では、先セル９の材料とテンプルの材料は同質のものとなる。Ｎは従来まで鼻当てが存在した位置である。また、図６は実施例１のテンプル６を取り付けた眼鏡使用時の上面図を、図７は前記眼鏡使用時の側面図を示している。
【００３４】
図９に示される実施例２では、肌表層部曲面に接するように、ある程度のサイズの間隔をおいてエポキシ樹脂等の合成樹脂素材で成形された曲面であるテンプル凸面部１６ａを有するテンプル１６を成形している。図９の各図で示されるようにテンプル凸面部１６ａの裏側に相当するテンプル外側部分１６ｂは、着用者の肌表層部曲面に依存することないので、平面になるように成形している。図９（ａ）は前記テンプル６の斜視による立体図を、図９（ｂ）は前記テンプル１６の側面図を、図９（ｃ）は前記テンプル１６の上面図を示しており、また、図９（ｄ）は、図９（ｂ）の切断線Ａ１−Ａ１による横方向断面図を、図９（ｅ）は、図９（ｂ）の切断線Ｂ１−Ｂ１による縦方向断面図を、図９（ｆ）は、図９（ｃ）の切断線Ｃ１−Ｃ１による横方向断面図を、それぞれ示している。図９（ｅ）に示される断面図のように、前記テンプル１６の厚さは必要な強度を保つ最小限に抑えてある。
【００３５】
図８は図９で示された実施例２によるテンプル１６を、蝶番１５を介して眼鏡のフロント部分、すなわち、レンズ１２を固定するリム１３、またこれを固定するブリッジ１１、及びリム１３とテンプル１６の中間に位置する智（ち）１４が含まれる部分と接続する。この実施例では、先セル１９の材料とテンプルの材料は同質のものとなる。Ｎ１は従来まで鼻当てが存在した位置である。また、図１０は実施例２のテンプル１６を取り付けた眼鏡使用時の上面図を、図１１は前記眼鏡使用時の側面図を示している。
【００３６】
図１２及び図１３は、支持構造を有するサイド・パッドの実施例を示した概略図であり、図１２は実施例３のテンプル部分に採用される部分の実施例であり、サイド・パッド箱４８を含む、サイド・パッド４７の概略図であり、図１２（ｉｘ）は前記サイド・パッド４７の斜視による立体図を、また、図１２（ｘ）は前記サイド・パッド４７の側面図を、そして、図１２（ｘｉ）は前記サイド・パッド４７の上面図を、それぞれ示している。
【００３７】
図１３は、実施例３のテンプル部分に採用される部分である、サイド・パッド箱４８を含む、サイド・パッド４７の実施例の断面図であり、図１３（ｘｉｉ）は、図１２（ｘ）の切断線Ｉ−Ｉによる前記サイド・パッド４７の横方向断面図を、図１３（ｘｉｉｉ）は、図１２（ｘｉ）の切断線Ｉ−Ｉによる前記サイド・パッド４７の縦方向断面図を、図１３（ｘｉｖ）は、図１２（ｘ）の切断線ＩＩ−ＩＩによる前記サイド・パッド４７の縦方向断面図を、そして、図１３（ｘｖ）は、図１２（ｘｉ）の切断線ＩＩＩ−ＩＩＩによる、サイド・パッド箱４８及びサイド・パッド固定部分突起部４７ｃ及びサイド・パッド箱固定用ネジ４８ｃの縦方向断面図を、それぞれ示している。
【００３８】
サイド・パッド固定部分４７ａにサイド・パッド固定部分突起部４７ｃをロウ付けし、前記サイド・パッド固定部分突起部４７ｃ部分に、サイド・パッド固定部分突起部ネジ穴４７ｂを設ける。そして、サイド・パッド箱４８を前記サイド・パッド固定部分突起部４７ｃ部分に被せ、サイド・パッド箱ネジ穴４８ｂを前記サイド・パッド箱の対面となる部分にも、サイド・パッド箱中空部分４８ａが活かされる形で、前記サイド・パッド固定部分突起部ネジ穴４７ｂを貫くように設け、サイド・パッド箱固定用ネジ４８ｃで固定する。この場合、前記サイド・パッド固定部分突起部ネジ穴４７ｂの内径は、前記サイド・パッド箱ネジ穴４８ｂの内径よりもやや小さいことを特徴とし、微調整の為の多少の遊びを持たせる役割を果たす。
【００３９】
図１６は実施例３のテンプル２６において、特徴的な箇所を分解した各部分を示した、斜視による立体図であり、サイド・パッド固定部分２７ａにサイド・パッド固定部分突起部２７ｃをロウ付けし、シリコンで成形されたサイド・パッド２７に埋め込み、サイド・パッド箱２８を被せ、サイド・パッド箱固定用ネジ２８ｃで固定する。前記サイド・パッド箱２８の１つの面にＰに示す方向から、金属製のサイド・パッド・アーム２０をロウ付けし、さらに、前記サイド・パッド・アーム２０の一端をテンプル２６にロウ付けして固定する。
図１８は実施例３のテンプル２６において、特徴的な箇所に関する概略図であり、図１８（ａ２）は前記テンプル２６の斜視による立体図を、図１８（ｂ２）は前記テンプル２６の側面図を、図１８（ｃ２）は前記テンプルの上面図を、それぞれ示している。
【００４０】
図１４は図１５で示された実施例３によるテンプル２６を、蝶番２５を介して眼鏡のフロント部分、すなわち、レンズ２２を固定するリム２３、またこれを固定するブリッジ２１、及びリム２３とテンプル２６の中間に位置する智（ち）２４が含まれる部分と接続する。この実施例では、先セル２９の材料とテンプルの材料は同質のものとなる。Ｎ２は従来まで鼻当てが存在した位置である。また、図１７は実施例２のテンプル２６を取り付けた眼鏡使用時の上面図を、図１８は前記眼鏡使用時の側面図を示している。
【００４１】
図２１は実施例１〜３のいずれかに適用可能な改良型先セルの実施例の各部分を分離した場合の斜視による立体図であり、金属製の先セル芯５１と先セルよりも比重の大きい錘（おもり）１０を含むように先セル５２を、ストッパー７を設けるようにエポキシ樹脂等の合成樹脂で成形する。その後、ラテックス・フォームを素材としたソフト・パッド８を前記先セル５２の下部に沿うように成形し接着加工する。図１９は、前記改良型先セルの実施例であり、図１９（ｉ１）は前記先セル５２の斜視による立体図を，図１９（ｉ２）は前記先セル５２の側面図を，図１９（ｉ３）は前記先セル５２の上面図を、それぞれ示している。また、図２０は、前記改良型先セル５２の断面図であり、図２０（ｉ４）は、図１９（ｉ２）の切断線ＩＶ−ＩＶによる横方向断面図を、図２０（ｉ５）は、図１９（ｉ２）の切断線Ｖ−Ｖによる横方向断面図を、図２０（ｉ６）は、図１９（ｉ２）の切断線ＶＩ−ＶＩによる横方向断面図を、図２０（ｉ７）は、図１９（ｉ２）の切断線ＶＩＩ−ＶＩＩによる縦方向断面図を、図２０（ｉ８）は、図１９（ｉ２）の切断線ＶＩＩＩ−ＶＩＩＩによる縦方向断面図を、そして、図２０（ｉ９）は、図１９（ｉ３）の切断線ＩＸ−ＩＸによる縦方向断面図を、それぞれ示している。
【００４２】
また、図２２は、実施例１〜３のいずれかに適用可能な耳掛け型補聴器用の改良型先セルの実施例を示す概略図であり、図２２（ｉ１０）は前記先セル６２の斜視による立体図、図２２（ｉ１１）は前記先セル６２の側面図を、図２２（ｉ１２）は図２２（ｉ１１）の切断線Ｘ−Ｘによる縦方向断面図を、そして、図２２（ｉ１３）は、前記先セル６２の上面図を、それぞれ示しており、図２２（ｉ１２）に示すように、上記実施例と異なる箇所は、前記改良型先セル６２の下部に沿うように接着加工した、ラテックス・フォームを素材とするソフト・パッドに耳掛け型補聴器用の溝６３を設けたことである。
【００４３】
【発明の効果】
従来から当然の如くあった鼻当てが除去されることにより、当然、鼻当てそのものが存在しないので、圧迫痕は発生することもなく、発汗しても鼻の部分において、ずり落ちることもない。また、眼鏡使用中の疲労感が肉体的にも精神的にも軽減され、顔面の中央、特に両眼の間に開放感があることで、快適に眼鏡を使用可能となる。特に、女性に関しては、眼鏡着脱の度に、ファンデーション（基礎化粧品）が剥がれる等の心配をしなくても良いので、時と場所を選ばず眼鏡を自由に着脱可能になる。更には、各着用者に合ったテンプルを提供することで、両テンプルによる側頭部への不必要な圧迫も無くなる。辛うじて使用可能な、単に圧迫の位置を移動させただけの眼鏡とは、全く異なり、眼鏡と接する部分に関して、どの位置においても、荷重分散させる為、従来とは比較にならない程、圧迫痕をほとんど発生させない画期的な眼鏡を提供できる。本発明の実施例の中には、奇をてらっていない従来のフレームに近い形態もあるので、十分に即実用可能である。
【００４４】
また、本発明の実施例の中で奇をてらっていないものも含めて、テンプル部分の領域もさることながら形状においても、従来より自由度が拡大するので、装飾の方法や技術の幅も大きく広がる。よって、デザイナーが追求するデザインの自由度が大きくなり、また消費者が望む個性豊かな眼鏡の多様性を追求可能となる。その結果、眼鏡関連産業の経済の牽引役となり得る期待は大きい。
【００４５】
本発明が供する眼鏡の使用目的は、従来通り、視力矯正は勿論、読書、事務処理、パソコン作業（視力が悪くなくても、保護用の専用眼鏡をかけることで、目を保護すること可能）、そして、ファッション等が挙げられる。
【００４６】
そして、本発明が業界で採用された場合、鼻当てを必要としないことから、鼻当てに分類されるクリングス部分を製造している業界の景気が落ち込む懸念がある。しかし、従来のクリングスのパッド箱の部分、及び皮膚に直接触れるパッドを固定する芯の部分を、図９及び図１０に示すように応用することにより、この懸念は回避される。
【００４７】
【図面の簡単な説明】
【図１】実施例１のテンプルを取り付けた眼鏡を示した、左後方からの斜視による立体図である。
【図２】本発明の基本的原理である重心の移動を示した概略的な平面図である。
【図３】側頭部、特に頬骨付近の曲面の近似的データを得る行程を示した実施例の図である。
【図４】側頭部、特に頬骨付近の曲面の近似的データを得る行程を示した実施例の図である。
【図５】実施例１のテンプルに関する多方面から観た概略図である。
【図６】実施例１のテンプルを取り付けた眼鏡使用時の上面図である。
【図７】実施例１のテンプルを取り付けた眼鏡使用時の側面図である。
【図８】実施例２のテンプルを取り付けた眼鏡を示した、左後方からの斜視による立体図である。
【図９】実施例２のテンプルに関する多方面から観た概略図である。
【図１０】実施例２のテンプルを取り付けた眼鏡使用時の上面図である。
【図１１】実施例２のテンプルを取り付けた眼鏡使用時の側面図である。
【図１２】実施例３のテンプル部分に採用される部分の実施例であるである、サイド・パッド箱を含む、サイド・パッドの概略図である。
【図１３】実施例３のテンプル部分に採用される部分である、サイド・パッド箱を含む、サイド・パッドの断面図である。
【図１４】実施例３のテンプルを取り付けた眼鏡を示した、左後方からの斜視による立体図である。
【図１５】実施例３のテンプルにおいて、特徴的な箇所に関する概略図である。
【図１６】実施例３のテンプルにおいて、特徴的な箇所を分解した各部分を示した、斜視による立体図である。
【図１７】実施例３のテンプルを取り付けた眼鏡使用時の上面図である。
【図１８】実施例３のテンプルを取り付けた眼鏡使用時の側面図である。
【図１９】実施例１〜３のいずれかに適用可能な改良型先セルの実施例である。
【図２０】実施例１〜３のいずれかに適用可能な改良型先セルの実施例の断面図である。
【図２１】実施例１〜３のいずれかに適用可能な改良型先セルの各部分を分離した斜視による立体図である。
【図２２】実施例１〜３のいずれかに適用可能な耳掛け型補聴器用の改良型先セルの概略図である。
【符号の説明】
Ｇ０，Ｇ２，Ｇ３  眼鏡全体における重心の位置
Ｊ  測定時において最終的に計測される電流値
Ｍ，Ｍ００，Ｍ０１，Ｍ０２，Ｍ０３，Ｍ０ｘ，Ｍ０ｎ，Ｍ１０，Ｍ２０，Ｍ３０，Ｍｙ０，Ｍｍ０，Ｍｘｙ，Ｍｍｎ  圧力感知式測定装置の最小構成単位
Ｎ０  従来の鼻当て
Ｎ，Ｎ１，Ｎ２，Ｎ５  従来まで鼻当てが存在した位置
Ｐ  テンプルから伸びたサイド・パッド・アームを接続する方向
Ｒ  測定前の抵抗棒が、筒状絶縁体から肌側へ出ている部分の抵抗値
ｓ  測定前の抵抗棒が、筒状絶縁体から肌側へ出ている部分の長さ
Ｔ  本発明によって新たにテンプルに付加された部分
Ｖ  圧力感知式測定装置の最小構成単位当たりに掛かる一定電圧値
ｚ  測定時において最終的に移動した抵抗棒の長さ
１，１１，２１，９１  ブリッジ
２，１２，２２  レンズ
３，１３，２３，９４  リム
４，１４，２４  智（ち）
５，１５，２５  蝶番
６，１６，２６，９６  テンプル
６ａ，１６ａ  テンプル凸面部
６ｂ  テンプル凹面部
６ｃ，１６ｃ  テンプル上部
６ｄ，１６ｄ  テンプル下部
７，５７  ストッパー
８，５８  ソフト・パッド
９，１９，２９，９９  先セル
１０，５０，９０  錘（おもり）
１６ｂ  テンプル外側部分
２０  サイド・パッド・アーム
２７，４７  サイド・パッド
２７ａ，４７ａ  サイド・パッド固定部分
２７ｂ，４７ｂ  サイド・パッド固定部分突起部ネジ穴
２７ｃ，４７ｃ  サイド・パッド固定部分突起部
２８，４８  サイド・パッド箱
２８ａ，４８ａ  サイド・パッド箱中空部分
２８ｂ，４８ｂ  サイド・パッド箱ネジ穴
２８ｃ，４８ｃ  サイド・パッド箱固定用ネジ
５１，６１  先セル芯
５２，６２  改良型先セル
６３  耳掛け型補聴器用溝
７０  筒状絶縁体
７１  薄く、その厚さが一定の円形絶縁体
７２  密度が一様かつ抵抗値がその長さに比例する抵抗棒
７３，７３ａ  抵抗棒との肌表層部分側の接触部
７４，７４ａ  抵抗棒との筒状絶縁体側の接触部
７５  一定電圧Ｖを有する起電力
７６  電流計
７７  圧力感知式抵抗棒移動装置
７８  圧力感知式測定装置の外側部分
７９  絶縁体固定部分
８０  側頭部固定枠
８１  圧力感知式測定装置
８２  圧力感知式測定装置の内部回路の一部
８３  測定される前にあった抵抗棒の位置
８４  被測定者用幅調整装置
８５  測定時に移動した抵抗棒
８６  絶縁体固定枠
８７  被測定者の頭部
【図１】
2004354491.tif 000003
【図２】
2004354491.tif 000004
【図３】
2004354491.tif 000005
【図４】
2004354491.tif 000006
【図５】
2004354491.tif 000007
【図６】
2004354491.tif 000008
【図７】
2004354491.tif 000009
【図８】
2004354491.tif 000010
【図９】
2004354491.tif 000011
【図１０】
2004354491.tif 000012
【図１１】
2004354491.tif 000013
【図１２】
2004354491.tif 000014
【図１３】
2004354491.tif 000015
【図１４】
2004354491.tif 000016
【図１５】
2004354491.tif 000017
【図１６】
2004354491.tif 000018
【図１７】
2004354491.tif 000019
【図１８】
2004354491.tif 000020
【図１９】
2004354491.tif 000021
【図２０】
2004354491.tif 000022
【図２１】
2004354491.tif 000023
【図２２】
2004354491.tif 000024